(57)【要約】  地下格納庫と、この格納庫に格納された終端筐体とを備えた、ファイバー分配終端装置。このシステムは、格納庫に引上げ装置も備え、引上げ装置は、螺子駆動装置と軌道装置とを備えている。螺子駆動装置の回転によって、終端筐体を地下の位置から引上げ位置に引上げ、終端筐体が引上げられる時、軌道装置は、終端筐体を案内する。このシステムは、螺子駆動装置を駆動するために、コードレスのドリルなどの道具も備える。螺子駆動装置は、ボール螺子とボールナットを備えてもよい。このシステムは、螺子駆動装置と軌道装置に終端筐体を取付ける受金を備えてもよい。この軌道装置は、軌道の組を２つ備え、第一の軌道の組は格納庫に固定され、第二の軌道の組は第一の軌道の組に取付けられる。
2008542824.tif 000002
【特許請求の範囲】
【請求項１】
ファイバー分配終端装置であって、
地下格納庫と、
前記地下格納庫に格納される終端筐体と、
前記格納庫の中に位置する引上げ装置を備え、
前記引上げ装置は、
螺子駆動装置と、
軌道装置と、を具備し、
前記螺子駆動装置の回転によって、前記終端筐体が地下の位置から引上げ位置へ引上げられる時、前記軌道装置は、前記終端筐体を案内する、
ことを特徴とするファイバー分配終端装置。
【請求項２】
さらに、前記螺子駆動装置を駆動するドリルを備えた、請求項１に記載のシステム。
【請求項３】
前記螺子駆動装置が、ボール螺子とボールナットとを備えた、請求項２に記載のシステム。
【請求項４】
さらに、前記螺子駆動装置と前記軌道装置を前記終端筐体に結合する受金を備えた、請求項１に記載のシステム。
【請求項５】
前記螺子駆動装置が、ボール螺子を備え、該ボール螺子が、前記格納庫から取外し可能である、請求項１に記載のシステム。
【請求項６】
前記軌道装置は、２つの組の軌道を備えており、第一の組は前記格納庫に固定されており、第二の組は該第一の組に連結される、請求項１に記載のシステム。
【請求項７】
前記第二の組が、前記格納庫を出て延伸する、請求項６に記載のシステム。
【請求項８】
前記螺子駆動装置が、ボール螺子を備え、受金を使用して、前記終端筐体は、前記軌道装置に連結され、前記受金が、前記ボール螺子と噛み合うボールナットを備える、請求項１に記載のシステム。
【請求項９】
ボール螺子の低い方の端が取付ブロックの中に位置する、請求項８に記載のシステム。
【請求項１０】
終端筐体と共に使用する、ファイバー分配終端装置であって、
地下格納庫と、
前記格納庫の中に位置する引上げ装置を備え、
前記引上げ装置は、
螺子駆動装置と、
軌道装置と、を具備し、
前記螺子駆動装置の回転によって、前記終端筐体が地下の位置から引上げ位置へ引上げられる時、前記軌道装置は前記終端筐体を案内し、
前記螺子駆動装置は、
ボール螺子と
ボールナットと、を備え、
該ボールナットは、前記終端筐体に取付けられた受金に設けられ、
前記螺子駆動装置を回転させる動力装置は、前記螺子駆動装置に装着可能であり、
前記軌道装置は、２つの組の軌道を備えており、第一の組が、前記格納庫に固定されており、第二の組が、該第一の組に取付けられている、
ことを特徴とするファイバー分配終端装置。
【請求項１１】
前記第二の組が、前記格納庫から出て延伸する、請求項１０に記載のシステム。
【請求項１２】
地下格納庫から終端筐体を引上げる方法であって、
前記格納庫の中に設置され、螺子駆動装置と軌道装置を備えた、引上げ装置を提供する工程と、
前記螺子駆動装置を使用して、少なくとも部分的に前記格納庫から出るように、前記終端筐体を引上げる工程と、
前記終端筐体は、前記格納庫から引上げられる時、前記軌道装置に沿って引上げられる工程と、を有する、地下格納庫から終端筐体を引上げる方法。
【請求項１３】
前記螺子駆動装置が、ボール螺子とボールナットとを備え、前記方法が、さらに、コードレスのドリルを使用して、前記螺子駆動装置を回転する工程を有する、請求項１２に記載の方法。
【請求項１４】
さらに、第一の軌道の組を第二の固定された軌道の組に取付けて、前記軌道装置を構成する工程を有する、請求項１２に記載の方法。
【発明の詳細な説明】
【技術分野】
【０００１】
本出願は、地下に設置された終端筐体に関する。より具体的には、地下格納庫に格納された終端筐体を引上げる装置と方法に関する。
【背景技術】
【０００２】
終端筐体を屋外に設置する場合には、安全装置を装備し、諸々の環境から保護された、光ファイバーケーブルを管理する装置が必要となる。このような終端筐体は、通常、地上、または、地下格納庫に格納される。地下に格納される場合、光ファイバー終端の設定を変更できるようにするため、この終端筐体にアクセスできるようにすることが望ましい。
【発明の開示】
【課題を解決するための手段】
【０００３】
本発明の実施形態は、地下格納庫に格納された終端筐体を引上げる装置と方法を提供する。
【０００４】
一つの実施形態では、地下格納庫と、この地下格納庫に格納される終端筐体と、格納庫の中に位置する引上げ装置を備え、この引上げ装置は、螺子駆動装置と、軌道装置と、を具備し、前記螺子駆動装置の回転によって、前記終端筐体を地下の位置から引上げ位置へ引上げられる時、前記軌道装置は、前記終端筐体を案内する、ファイバー分配終端装置を提供する。
【０００５】
別の実施例では、終端筐体と共に使用する、ファイバー分配終端装置であって、地下格納庫と、この格納庫の中に位置する引上げ装置を備え、この引上げ装置は、螺子駆動装置と、軌道装置と、を具備し、前記螺子駆動装置の回転によって、前記終端筐体を地下の位置から引上げ位置へ引上げられる時、前記軌道装置は、前記終端筐体を案内し、前記螺子駆動装置が、ボール螺子と、ボールナットと、を備え、該ボールナットは、前記終端筐体に取付けられた受金に取付けられ、前記螺子駆動装置を回転させる動力装置が、前記螺子駆動装置に装着可能であり、前記軌道装置は、２つの組の軌道を備えており、第一の組が、前記格納庫に固定されており、第二の組が、該第一の組に取付けられている、ファイバー分配終端装置を提供する。
【０００６】
別の実施例では、地下格納庫から終端筐体を引上げる方法であって、この格納庫の中に設置され、螺子駆動装置と軌道装置を備えた、引上げ装置を提供する工程と、螺子駆動装置を使用して、終端筐体を引上げて格納庫から少なくとも一部を出す工程と、終端筐体が、格納庫から引上げられる時、軌道装置に沿って引上げられる工程と、を有する、地下格納庫から終端筐体を引上げる方法を提供する。
【発明を実施するための最良の形態】
【０００７】
格納庫１１０と、終端筐体１５０と、を備えた、ファイバー分配終端装置１００の一つの実施例を図１に示す。側面１１４と、部分的に図示された、側面１１２、１１６と、を備えた、格納庫１１０は、部分破断図として図示されている。格納庫１１０は、通常、終端筐体１５０を取り囲み、側面１１４と反対側の、別の側面（図示しない）に取付けられている側面１１２、１１６全体、を備えている。この図示された例では、格納庫１１０は、地下に設置され、格納庫１１０の上方端１２０が、実質的に、地表レベルになり、通常、格納庫１１０の中に格納された終端筐体１５０を保護するために、格納庫１１０の上は、カバー（図示しない）で覆われている。
【０００８】
一つの例では、格納庫１１０は、テネシー州レノアシティのストロングウェル社（Ｓｔｒｏｎｇｗｅｌｌ  Ｃｏｒｐｏｒａｔｉｏｎ  ｏｆ  Ｌｅｎｏｉｒ  Ｃｉｔｙ，Ｔｅｎｎｅｓｓｅｅ）で製造された筐体である。図示された例では、格納庫１１０は、幅７６ｃｍ（３０インチ）、長さ１２２ｃｍ（４８インチ）、奥行９１ｃｍ（３６インチ）である。もちろん、別のタイプとサイズの格納庫も使用することができる。
【０００９】
終端筐体１５０は、一般に、本体１５１と本体１５１を覆うカバー１５２を備えている。たとえば、カバー１５２を回転させて、本体１５１から取外すなどして、カバー１５２は、本体１５１から取外すことが出来き、光ファイバー終端装置、その他の通信接続装置、あるいは、本体１５１内に据付けられた装置にアクセスすることができる。終端筐体１５０は、その中の光ファイバー終端装置を保護する防水性を持つ水密の筐体である。
【００１０】
一つの例では、本体１５１は、例えば、顧客相互接続パネル（ＣＩＰ）のような、相互接続パネル、および／あるいは、一つ以上の、例えば、ＡＧＸ−１０００ＨＤ，外部プラント７２−あるいは９６−ファイバー・モジュール（ＯＣＮ）、あるいは、ＢＧＸ−４３２のような（すべて、ミネソタ州、エデン・プレーリーのＡＤＣテレコミュニケーション社製である）、交差接続パネルを収納している。もちろん、その他のタイプのパネルも、本体１５１に収納してもよい。
【００１１】
例えば、本体１５１は、複数の、相互接続終端パネル、あるいは、交差接続終端パネルを収納してもよい。これらのパネルは、ケーブルの管理、および、たとえば、中央オフィスのような、センターから複数の光ファイバーケーブルを終端する。本体１５１は、本体１５１から、たとえば、それぞれの家庭やビルなどの終端へ走る光ファイバーケーブルの接続も提供する。
【００１２】
図１から図４を参照することによって、技能者なら誰でも終端筐体１５０にアクセスして、この中の光ファイバーケーブルの終端状態を変更することが出来る。終端筐体１５０は地下の格納庫１１０の中にあるので、格納庫１１０から、終端筐体１５０を引上げて、地上で終端筐体１５０の本体１５１にアクセスできる機構を提供する。
【００１３】
図１に、地下格納庫１１０の中にある終端筐体１５０と、終端筐体１５０を格納庫１１０から引上げることが出来る、システム２００が図示されている。図３，４から理解されるように、システム２００は、受金２１０、軌道２２０、２２２、２２４、２２６、螺子２６０、および、トルク機構２８０を備え、少なくとも部分的に地上に出ている位置で、終端筐体１５０にアクセスできるように、終端筐体１５０を格納庫１１０から引上げることが出来る。
【００１４】
受金２１０は、終端筐体１５０の本体１５１に取付けられているレール２１２、２１４を備えている。受金２１０は、アパーチャー２１８を持つ台座２１６も備えている。一つの例では、アパーチャー２１８は、複数のボールベアリングを備えた、螺子（ボール螺子）２６０と共に使用する、ボールナットで形成されおり、これに関して下記に詳述する。
【００１５】
軌道２２０、２２２は、格納庫１１０に取付けられている。軌道２２４、２２６は、格納位置にある間、軌道２２０、２２２に近くに横たわっている。
図１から理解されるように、終端筐体１５０が引上げられる前には、軌道２２４、２２６は、スリーブ２２８、２３０を使用して、軌道２２０、２２２の自由端に取り付けられている。一つの例では、軌道２２４、２２６が、軌道２２０、２２２に連結できるように、螺子がスリーブ２２８、２３０の中に置かれている。軌道２２４、２２６が軌道２２０、２２２に連結する時には、溝２３２を持つ二つの延伸された軌道として機能することになる。
図２から理解されるように、軌道２２０、２２２、２２４、２２６、それぞれの長さは、軌道２２４、２２６が軌道２２０、２２２に取付けられた時、軌道２２４、２２６が格納庫１１０から突出するように設定されている。
【００１６】
図２、３から理解されるように、受金２１０のレール２１２、２１４は、吊り具の組２３４、２３６を用いて、軌道２２０、２２２に摺動可能に連結され、ほぼ密閉ローラーシステムを構成している。
図４から、以下のことが、理解される。以下に記載するように、吊り具の組２３４、２３６は、軌道２２０、２２２、２２４、２２６の上を走る車輪２３８と、溝２３２を貫通して、溝２３２の中を滑り、受金２１０と終端筐体１５０が格納庫１１０から引上げられる際、受金２１０と終端筐体１５０が、軌道２２０、２２２、２２４、２２６に沿って走れるようにした腕部分２３９を備えている。この例では、二つの垂直方向に間隔を持った吊り具が、レール２１２、２１４のそれぞれが、軌道２２０、２２２、２２４、２２６の各々に連結するために使用され、各々の吊り具は、車輪２３８の二つの組を持っている。
【００１７】
一つの例では、軌道２２０、２２２、２２４、２２６は、それぞれ、幅６．７ｃｍ（２  ５／８インチ）、高さ８．３ｃｍ（３  １／４インチ）、厚さ０．２４ｃｍ（０．０９４インチ）、を持つ六脚部を備えており、ジョージア州、アトランタのマクマスター−カー  サプライ社（ＭｃＭａｓｔｅｒ−Ｃａｒｒ  Ｓｕｐｐｌｙ  Ｃｏｍｐａｎｙ  ｏｆ  Ａｔｌａｎｔａ，Ｇｅｏｒｇｉａ）から、部品番号１２０７Ａ４１として入手可能である。さらに、一つの例では、吊り具２３４、２３６は、鋼鉄製のローラーベアリングを持ち、直径３インチの車輪を持ち、マクマスター−カー社から、部品番号１２１５Ａ２６として入手可能である。軌道２２０、２２２、２２４、２２６は、他のタイプやサイズのものも使用することができる。
【００１８】
さて、図２、３を参照すると、螺子２６０は、格納庫１１０へ案内され、ボールナット２１８と噛み合って、ガタツキが最小化されるように螺子２６０のほぼ端を保持する取付ブロック２４０へ案内される。螺子２６０の長さは、以下に記載するように、終端筐体１５０が格納庫１１０から螺子２６０に沿って走るように、螺子２６０が格納庫１１０から突出する流さに設定されている。以下に記載するように、たとえば、螺子２６０の長さは、螺子２６０が終端筐体１５０を引き上げた時、吊り具２３４、２３６が、軌道２２０、２２２、２２４、２２６の中を溝２３２に沿って地下の位置から引上げられた位置へ走るように、軌道２２０、２２２、２２４、２２６の高さに対応させることができる（図３参照）。
【００１９】
一つの例では、螺子２６０は、ボール螺子であり、このボール螺子は、ボールナット２１８の中のボールベアリングを介して摩擦を最小にする。一つの例では、ボール螺子は、直径１．６ｃｍ（５／８インチ）、螺子リード０．５ｃｍ（１３／６４インチ）であり、マクマスター−カー社から、部品番号５９６６Ｋ２６として入手可能である。また、取付けブロック２４０は、マクマスター−カー社から、部品番号６０７５５Ｋ１３として入手可能である。さらに、一つの例では、ボールナット２１８、同様に、直径１．６ｃｍ（５／８インチ）、螺子リード０．５ｃｍ（１３／６４インチ）であり、マクマスター−カー社から、部品番号５９６６Ｋ１６として入手可能である。
【００２０】
図３に示す位置では、ボール螺子２６０は、受金２１０に設けられたボールナット２１８をボール螺子２６０に沿って上方へ走らせるような第一の方向へ回転することが出来る。ボールナット２１８は、ボール螺子２６０に沿って走ると、受金２１０は上昇して、受金２１０と終端筐体１５０は軌道２２０、２２２、２２４、２２６に案内されて格納庫１１０から出て地下の位置から引上げられた位置まで上方に移動する。
【００２１】
引上げられた位置から地下の位置まで、終端筐体１５０を格納庫１１０へ下げるため、ボール螺子２６０は、受金２１０に接するボールナット２１８をボール螺子２６０に沿って下方へ走らせるような、第一の方向と反対の第二の方向へ回転する。ボールナット２１８は、ボール螺子２６０に沿って走ると、受金２１０は下降して、受金２１０と終端筐体１５０は、軌道２２０、２２２、２２４、２２６に案内されて、格納庫１１０へ向かって下方に移動する。
【００２２】
上に示した例では、ボール螺子２６０は、装置２８０（たとえば、ポータブルドリル）を使用して、第一、および、第二の方向へ駆動される。一つの例では、装置２８０は、コードレスのハンドドリルである。一つの例では、ドリル２８０は、ボール螺子２６０を回転させるためにボール螺子２６０に直接連結されていても良い。別の例では、ドリル２８０は、ボール螺子２６０に連結されている、特別な工具の先端部分に連結されていても良い。その他のタイプの携帯機器を使うこともできる。いくつかの実施形態では、ボール螺子２６０を第二の方向に駆動することが必要となる。そうではなく、終端筐体１５０の重さで、受金２１０と終端筐体１５０が、引上げられた位置から地下の位置へ向かってボール螺子２６０に沿ってゆっくりと走ることもある。
【００２３】
使用時、格納庫１１０には、カバーを外して（図示しない）、アクセスする。そして、ボール螺子２６０を、ボールナット２１８を通過させ、取付ブロック２４０の中に置く。次に、装置２８０を、ボール螺子２６０に連結して、ボール螺子２６０を第一の方向へ回転するのに使用する。ボール螺子２６０が回転すると、ボールナット２１８はボール螺子２６０に沿って走り、受金２１０を上方に移動させ、終端筐体１５０は軌道２２０、２２２、２２４、２２６に案内されて地下の位置から引上げられた位置に向かって格納庫１１０から出て上昇する（図１、３参照）。引上げられた位置では、終端筐体１５０からカバー１５２を外して、本体１５１にアクセスできる。
【００２４】
終端筐体１５０を格納庫１１０に戻すには、カバー１５２で元通りに覆い、装置２８０を、ボール螺子２６０を第一の方向とは反対の、終端筐体１５０を引上げられた位置から地下の位置へ下降させる、第二の方向に回転させるのに使用する。
【００２５】
上記の明細書、実施例、および、データは、完全に製品の記述であり、本発明の具体的な組合せの使用方法を提供するものである。本発明はその発明の範囲内で多くの実施例が可能であり、本発明は添付の請求項にある。
【図面の簡単な説明】
【００２６】
【図１】地下の格納庫に格納された終端筐体を示した斜視図である。
【図２】図１の終端筐体と格納庫を示した部分展開斜視図である。
【図３】終端筐体が引上げ位置にある状態での図１の終端筐体と格納庫を示した展開斜視図である。
【図４】図３の終端筐体と格納庫を示した上面図である。
【図１】
2008542824.tif 000003
【図２】
2008542824.tif 000004
【図３】
2008542824.tif 000005
【図４】
2008542824.tif 000006
【国際調査報告】
2008542824.tif 000007
2008542824.tif 000008
2008542824.tif 000009